(57)【特許請求の範囲】
【請求項１】
開口枠と、前記開口枠に少なくとも１つがスライド可能に配設された複数の面材とを備え、
前記開口枠を閉じる場合に、前記複数の面材のそれぞれにおける左右一対の縦材の一方の第１縦材が前記開口枠を構成する一対の縦枠に当接するとともに前記左右一対の縦材における他方の第２縦材が互いに召し合わされる建具において、
前記複数の面材の一方の第１面材における上下一対の横材の少なくとも一方の見付け面に、前記第１縦材の見付け面の一部を覆うよう取り付けられ、かついずれかの面材がスライドする場合に前記複数の面材における他方の第２面材の第２縦材に当接可能なストッパ部材を備えたことを特徴とする建具。
【請求項２】
前記第１面材の第１縦材は、室内側の見付け面に該第１縦材の長手方向に沿って延在する溝部が形成されており、
前記ストッパ部材は、前記溝部に進入し、かつ該溝部の外方側縁部に接することが可能な突部を備えたことを特徴とする請求項１に記載の建具。
【請求項３】
前記第１面材の第１縦材は、前記ストッパ部材が前記横材に取り付けられるのを許容する逃げ部を備えたことを特徴とする請求項１又は請求項２に記載の建具。
【請求項４】
前記第１面材の第１縦材は、室内側の見付け面に室内側に突出するよう設けられた操作部材を備え、
前記ストッパ部材は、前記操作部材よりも前記第２面材に近接していることを特徴とする請求項１〜３のいずれか１つに記載の建具。
【請求項５】
前記第１面材及び前記第２面材は、前記開口枠にスライド可能に設けられており、
前記ストッパ部材は、前記第２面材の前記第２縦材に当接することで前記第１面材及び前記第２面材の少なくとも一方のスライド範囲を制限することを特徴とする請求項１〜４のいずれか１つに記載の建具。
【請求項６】
前記開口枠において前記面材よりも室外側にスライド可能に設けられた網戸を備えたことを特徴とする請求項１〜５のいずれか１つに記載の建具。
【発明の詳細な説明】
【技術分野】
【０００１】
本発明は、建具に関し、より詳細には、例えば引き違い窓のように開口枠と、この開口枠にスライド可能に設けられた障子とを備えた建具に関するものである。
【背景技術】
【０００２】
従来、例えば引き違い窓のように建物躯体の開口縁部に取り付けられた開口枠に複数の障子がスライド可能に設けられた建具が知られている。各障子は、上框、下框及び左右一対の縦框を四周框組みすることによって矩形状に構成された框体の内部にガラス板を保持したものである。
【０００３】
上記建具では、各障子の一方の縦框（以下、第１縦框ともいう）が開口枠の縦枠に当接し、かつ他方の縦框（以下、第２縦框ともいう）が互いに召し合わされることで該開口枠が閉じられる。
【０００４】
そして、各障子の第１縦框の室内側見付け面の中央部分に室内側に突出するよう操作ハンドル等の操作部材が設けられた建具がある。このような建具では、開口枠を閉じた状態から障子をスライドさせた場合に、室外側の障子（以下、外障子ともいう）の第１縦框に設けられた操作部材に対し、室内側の障子（以下、内障子ともいう）の第２縦框が当接してしまう虞れがあった。
【０００５】
そこで、内障子の第１縦框において該第１縦框の室外側見付け面より室外側に突出するストッパ部材が取り付けられ、外障子及び内障子のいずれかがスライドする場合に、該ストッパ部材が外障子の第２縦框に当接することで操作部材と内障子の第２縦框とが干渉してしまうことを防止する建具が提案されている（例えば、特許文献１参照）。
【先行技術文献】
【特許文献】
【０００６】
【特許文献１】特開２０１４−６２４３７号公報
【発明の概要】
【発明が解決しようとする課題】
【０００７】
ところで、上框や下框の端部は、縦框の端部に進入してビス等が螺合することで框体を構成している。そのため、上述したように内障子の第１縦框にストッパ部材が取り付けられた建具では、外障子の第２縦框とストッパ部材とが当接する場合に、その当接による荷重がビスの螺合部分に集中的に作用し、これにより障子が破損等してしまう虞れがあった。尚、ここでは複数の障子を備えた建具について説明したが、開口枠にスライド可能な障子が１つである建具においても同様の問題が生ずることはいうまでもない。
【０００８】
本発明は、上記実情に鑑みて、第１面材に取り付けられたストッパ部材が第２面材と当接した場合に該第１面材が破損等することを防止することができる建具を提供することを目的とする。
【課題を解決するための手段】
【０００９】
上記目的を達成するために、本発明に係る建具は、開口枠と、前記開口枠に少なくとも１つがスライド可能に配設された複数の面材とを備え、前記開口枠を閉じる場合に、前記複数の面材のそれぞれにおける左右一対の縦材の一方の第１縦材が前記開口枠を構成する一対の縦枠に当接するとともに前記左右一対の縦材における他方の第２縦材が互いに召し合わされる建具において、前記複数の面材の一方の第１面材における上下一対の横材の少なくとも一方の見付け面に、前記第１縦材の見付け面の一部を覆うよう取り付けられ、かついずれかの面材がスライドする場合に前記複数の面材における他方の第２面材の第２縦材に当接可能なストッパ部材を備えたことを特徴とする。
【００１０】
この発明によれば、ストッパ部材が、第１面材の少なくとも１つの横材の見付け面に第１縦材の見付け面の一部を覆うよう取り付けられており、いずれかの面材がスライドする場合に第２面材の第２縦材に当接可能であるので、横材と縦材とを連結する組立ビスの螺合部分に当接による荷重が集中的に作用する虞れがない。
【００１１】
また本発明は、上記建具において、前記第１面材の第１縦材は、室内側の見付け面に該第１縦材の長手方向に沿って延在する溝部が形成されており、前記ストッパ部材は、前記溝部に進入し、かつ該溝部の外方側縁部に接することが可能な突部を備えたことを特徴とする。
【００１２】
この発明によれば、ストッパ部材の突部が第１面材の第１縦材の溝部に進入しており、該溝部の外方側縁部に接することが可能であるので、いずれかの面材がスライドして第２面材の第２縦材と当接することで、当接による荷重の一部を第１面材の第１縦材に伝達させることができる。これにより、当接による荷重がストッパ部材の取付部位だけに集中してしまうことを回避できる。
【００１３】
また本発明は、上記建具において、前記第１面材の第１縦材は、前記ストッパ部材が前記横材に取り付けられるのを許容する逃げ部を備えたことを特徴とする。
【００１４】
この発明によれば、第１面材の第１縦材にストッパ部材が横材に取り付けられることを許容する逃げ部が形成してあるので、いずれかの面材のスライドによりストッパ部材と第２面材の第２縦材とが当接した場合に、第１面材の横材と第１縦材とを連結する組立ビスの螺合部分に当接による荷重が集中的に作用することを防止できる。
【００１５】
また本発明は、上記建具において、前記第１面材の第１縦材は、室内側の見付け面に室内側に突出するよう設けられた操作部材を備え、前記ストッパ部材は、前記操作部材よりも前記第２面材に近接していることを特徴とする。
【００１６】
この発明によれば、ストッパ部材が、第１面材の第１縦材の室内側の見付け面に室内側に突出するよう設けられた操作部材よりも第２面材に近接しているので、いずれかの面材のスライドによりストッパ部材と第２面材の第２縦材とが当接した場合に、該操作部材と第２面材とが干渉することを防止できる。
【００１７】
また本発明は、上記建具において、前記第１面材及び前記第２面材は、前記開口枠にスライド可能に設けられており、前記ストッパ部材は、前記第２面材の前記第２縦材に当接することで前記第１面材及び前記第２面材の少なくとも一方のスライド範囲を制限することを特徴とする。
【００１８】
この発明によれば、ストッパ部材が、第１面材のいずれかの横材の見付け面に第１縦材の見付け面の一部を覆うよう取り付けられており、第１面材及び第２面材の少なくとも一方がスライドする場合に第２面材の第２縦材に当接可能であるので、横材と第１縦材とを連結する組立ビスの螺合部分に当接による荷重が集中的に作用する虞れがない。
【００１９】
また本発明は、上記建具において、前記開口枠において前記面材よりも室外側にスライド可能に設けられた網戸を備えたことを特徴とする。
【００２０】
この発明によれば、ストッパ部材が、第１面材の第１縦材の見付け面の一部を覆うよう横材に取り付けられているので、いずれかの面材のスライドによりストッパ部材と第２面材の第２縦材とが当接した場合に、第１面材の第１縦材の見込み面と、第２面材の第２縦材との離間距離の大きさである引残し量を最小限の大きさにすることができる。これにより、網戸の露出面積の増大化を図ることができる。
【発明の効果】
【００２１】
本発明によれば、第１面材に取り付けられたストッパ部材が第２面材と当接しても横材と縦材とを連結する組立ビスの螺合部分に当接による荷重が集中的に作用する虞れがないので、第１面材が破損等することを防止することができるという効果を奏する。
【図面の簡単な説明】
【００２２】
【図１】図１は、本発明の実施の形態である建具を室内側から見た外観図である。
【図２】図２は、本発明の実施の形態である建具の横断面図である。
【図３】図３は、図１に示した構成要素を縦断面で示した説明図である。
【図４】図４は、図１〜図３に示した外障子の要部を示す分解斜視図である。
【図５】図５は、図１〜図３に示した外障子及び内障子を示す横断面図であり、外障子については途中で横断面の高さレベルを変更している。
【図６】図６は、図１〜図３に示した外障子がスライドした場合を示す横断面図である。
【図７】図７は、図１〜図３に示した内障子がスライドした場合を示す横断面図である。
【発明を実施するための形態】
【００２３】
以下に添付図面を参照して、本発明に係る建具の好適な実施の形態について詳細に説明する。
【００２４】
図１〜図３は、それぞれ本発明の実施の形態である建具を示すものであり、図１は、室内側から見た外観図であり、図２は、横断面図であり、図３は、図１に示した構成要素を縦断面で示した説明図である。ここで例示する建具は、建物の外壁開口部に設けられ、かつ建物の室内空間と室外空間とを仕切る引き違い窓であり、開口枠１０、外障子（第１面材）２０、内障子（第２面材）３０、網戸５０及びストッパ部材６０ａ，６０ｂを備えて構成されている。
【００２５】
開口枠１０は、上枠１１、下枠１２及び左右一対の縦枠１３，１４を四周枠組みすることによって矩形状に構成されたものである。この開口枠１０の各枠１１，１２，１３，１４は、それぞれアルミニウムやアルミニウム合金の押出形材によって所定の横断面形状を有するように構成されている。ここで上枠１１には、長手方向に沿って延在する上レール１１ａ，１１ｂ及び網戸用上レール１１ｃが設けられており、下枠１２には、長手方向に沿って延在する下レール１２ａ，１２ｂ及び網戸用下レール１２ｃが設けられている。
【００２６】
外障子２０は、上下一対の横材である上框２１及び下框２２と、左右一対の縦材である縦框２３，２４とを四周框組みすることによって矩形状に構成された框体の内部にガラス板２５を保持したものである。ここで外障子２０の各框２１，２２，２３，２４は、アルミニウムやアルミニウム合金の押出形材によって所定の横断面形状を有するように構成されている。そして、上框２１の両端部が縦框２３，２４の上端部に進入し、かつ下框２２の両端部が縦框２３，２４の下端部に進入して組立ビスにより固定されて框体を構成している。
【００２７】
この外障子２０は、戸車２６を有している。戸車２６は、例えばプラスチック等の樹脂材から構成される樹脂製のものであり、下框２２に設けられている。戸車２６は、図には明示していないが、下框２２の見込み方向に沿って延在する軸部の中心軸回りに回転可能となるよう下框２２に設けられている。このような戸車２６は、その外端面が室外側の下レール１２ａの上端面に転動可能に載置されている。尚、外障子２０の上框２１には、長手方向に沿って延在する挿入部２７が形成されており、かかる挿入部２７には、上枠１１の室外側の上レール１１ａが挿入されている。
【００２８】
かかる外障子２０は、戸車２６が下レール１２ａを転動することで下枠１２の長手方向に沿って、すなわち左右方向に沿ってスライドするものである。
【００２９】
内障子３０は、上下一対の横材である上框３１及び下框３２と、左右一対の縦材である縦框３３，３４とを四周框組みすることによって矩形状に構成された框体の内部にガラス板３５を保持したものである。ここで内障子３０の各框３１，３２，３３，３４は、アルミニウムやアルミニウム合金の押出形材によって所定の横断面形状を有するように構成されている。そして、上框３１の両端部が縦框３３，３４の上端部に進入し、かつ下框３２の両端部が縦框３３，３４の下端部に進入して組立ビスにより固定されて框体を構成している。
【００３０】
この内障子３０は、戸車３６を有している。戸車３６は、例えばプラスチック等の樹脂材から構成される樹脂製のものであり、下框３２に設けられている。戸車３６は、図には明示していないが、下框３２の見込み方向に沿って延在する軸部の中心軸回りに回転可能となるよう下框３２に設けられている。このような戸車３６は、その外端面が室内側の下レール１２ｂの上端面に転動可能に載置されている。尚、内障子３０の上框３１には、長手方向に沿って延在する挿入部３７が形成されており、かかる挿入部３７には、上枠１１の室内側の上レール１１ｂが挿入されている。
【００３１】
かかる内障子３０は、戸車３６が下レール１２ｂを転動することにより、外障子２０の室内側において下枠１２の長手方向に沿って、すなわち左右方向に沿ってスライドするものである。
【００３２】
これら外障子２０及び内障子３０においては、外障子２０の左側の縦框（以下、左縦框（第１縦材）ともいう）２３が左側の縦枠（以下、左縦枠ともいう）１３に当接し、かつ内障子３０の右側の縦框（以下、右縦框（第１縦材）ともいう）３３が右側の縦枠（以下、右縦枠ともいう）１４に当接した場合に、外障子２０の右側の縦框（以下、右縦框（第２縦材）ともいう）２４と内障子３０の左側の縦框（以下、左縦框（第２縦材）ともいう）３４とが下枠１２の長手方向（左右方向）の中央部分の上方にて互いに対向することで、上記開口枠１０を閉じるようにそれぞれの寸法が設定されている。このような外障子２０及び内障子３０では、左縦框２３と右縦框３３とが戸先框となり、右縦框２４と左縦框３４とが召し合わせ框となる。
【００３３】
また、これら外障子２０及び内障子３０の戸先框（左縦框２３及び右縦框３３）には、それぞれサポート引手と称される操作部材４０が設けられている。この操作部材４０は、従来公知のものであるので、以下に簡単に説明する。
【００３４】
外障子２０及び内障子３０の戸先框２３，３３においては、室内側見付け面２３Ｍ，３３Ｍに該戸先框の長手方向に沿って溝部２３ａ，３３ａが形成されている。そして、これら戸先框２３，３３の長手方向の中央部分に一部が溝部２３ａ，３３ａに進入した状態で操作部材４０が設けられている。
【００３５】
左縦框（戸先框）２３に設けられた操作部材４０は、図４に示すように、該左縦框２３の長手方向が自身の長手方向となる長尺状部材であり、操作部４１が室内側に露出した状態で操作カバー４２に覆われて構成されている。操作部４１は、図には明示していないが、上下方向（長手方向）に沿って延在する軸部の中心軸回りに回動可能に配設されている。このような操作部４１は、内蔵されるバネ（図示せず）により常時左方に回動する方向に付勢されて待機姿勢にある。そして、操作部材４０においては、操作力が付与されて操作部４１がバネの付勢力に抗して右方に向けて回動することにより、操作カバー４２の左端面４３に形成された開口４４より操作突起部４５が左方に向けて突出するものである。
【００３６】
右縦框（戸先框）３３に設けられた操作部材４０は、上述した左縦框２３に設けられた操作部材４０と左右方向が異なるだけで略同一の構成を有している。かかる操作部材４０は、該右縦框３３の長手方向が自身の長手方向となる長尺状部材であり、操作部４１が室内側に露出した状態で操作カバー４２に覆われて構成されている。操作部４１は、図には明示していないが、上下方向（長手方向）に沿って延在する軸部の中心軸回りに回動可能に配設されている。このような操作部４１は、内蔵されるバネ（図示せず）により常時右方に回動する方向に付勢されて待機姿勢にある。そして、操作部材４０においては、操作力が付与されて操作部４１がバネの付勢力に抗して左方に向けて回動することにより、操作カバー４２の右端面４３に形成された開口より操作突起部が右方に向けて突出するものである。
【００３７】
網戸５０は、網戸用上框５１、網戸用下框５２及び左右一対の網戸用縦框５３，５４を四周框組みした框の内部に網５５が張設されて構成されている。このような網戸５０は、外障子２０よりも室外側に配置されている。
【００３８】
上記網戸５０は、網戸用戸車５６を有している。網戸用戸車５６は、例えばプラスチック等の樹脂材から構成される樹脂製のものであり、網戸用下框５２に設けられている。網戸用戸車５６は、図には明示していないが、網戸用下框５２の見込み方向に沿って延在する軸部の中心軸回りに回転可能となるよう網戸用下框５２に設けられている。このような網戸用戸車５６は、その外端面が網戸用下レール１２ｃの上端面に転動可能に載置されている。尚、網戸５０の網戸用上框５１には、長手方向に沿って延在する差込溝５７が形成されており、かかる差込溝５７には、網戸用上レール１１ｃが差し込まれている。
【００３９】
この網戸５０は、網戸用戸車５６が網戸用下レール１２ｃを転動することで下枠１２の長手方向に沿って、すなわち左右方向に沿ってスライドするものである。また、網戸用縦框５３，５４の室内側見付け面には、該網戸用縦框５３，５４の長手方向（上下方向）に沿って延在する長尺状のモヘアホール５８が形成されており、このモヘアホール５８には、上下方向が長手方向となる長尺状のモヘア５９が室内側に突出するよう設けられている。これらモヘア５９は、先端部が外障子２０の室外側の見付け面に摺接することが可能な延在長さを有している。
【００４０】
ストッパ部材６０ａ，６０ｂは、２つ設けられており、外障子２０の上框２１及び下框２２に取り付けられるものである。尚、ストッパ部材６０ａ，６０ｂは、上框２１に取り付けられるものも下框２２に取り付けられるものも共通の構成を有しているので、構成要素については同一の符号を付して説明する。
【００４１】
上框２１の左端部、すなわち左縦框２３の上端部に進入する左端部の室内側見付け面２１Ｍには、固定用貫通孔２１１及び取付用貫通孔２１２が形成されている。これら固定用貫通孔２１１及び取付用貫通孔２１２は、後述する固定ビス７１及び取付ビス７２を貫通させるものであり、取付用貫通孔２１２は、固定用貫通孔２１１の左方側に位置し、かつ固定用貫通孔２１１よりも拡径となっている。そして、左縦框２３の上端部においては、固定用貫通孔２１１及び取付用貫通孔２１２、並びにその周辺部が室内側に露出されるよう切欠２３１が形成されている。かかる切欠２３１は、ストッパ部材６０ａが上框２１に取り付けられることを許容する逃げ部を構成している。
【００４２】
下框２２の左端部、すなわち左縦框２３の下端部に進入する左端部の室内側見付け面２２Ｍには、固定用貫通孔２２１及び取付用貫通孔２２２が形成されている。これら固定用貫通孔２２１及び取付用貫通孔２２２は、後述する固定ビス７１及び取付ビス７２を貫通させるものであり、取付用貫通孔２２２は、固定用貫通孔２２１の左方側に位置し、かつ固定用貫通孔２２１よりも拡径となっている。そして、左縦框２３の下端部においては、固定用貫通孔２２１及び取付用貫通孔２２２、並びにその周辺部が室内側に露出されるよう切欠２３２が形成されている。かかる切欠２３２は、ストッパ部材６０ｂが下框２２に取り付けられることを許容する逃げ部を構成している。
【００４３】
ストッパ部材６０ａは、裏板６１及びストッパ本体６２を備えて構成されている。裏板６１は、金属製材料から構成される平板状部材であり、左右方向が長手方向となるものである。この裏板６１には、１つの固定孔６１１と２つの取付孔６１２とが設けられている。固定孔６１１は、内周面が雌ネジ部となっており、後述するように自身を上框２１に固定するための孔である。２つの取付孔６１２は、一方が固定孔６１１の左方側に設けられており、他方が固定孔６１１の右方側に設けられている。これら取付孔６１２は、内周面が雌ネジ部となっており、後述するようにストッパ本体６２を取り付けるための孔である。
【００４４】
このような裏板６１は、上框２１の中空部に進入し、該上框２１の室内側見付け面２１Ｍの室外側において、上記固定用貫通孔２１１を室内側より貫通する固定ビス７１が固定孔６１１を挿通して該固定孔６１１と螺合することで固定されている。この場合、裏板６１における固定孔６１１の左方側の取付孔６１２は、上記取付用貫通孔２１２に一致している。
【００４５】
ストッパ本体６２は、例えば樹脂製材料から構成されるものであり、ベース６２ａとキャップ６２ｂとを備えている。ベース６２ａは、基部６３を備えている。基部６３は、ストッパ本体６２の室外側面を構成するものであり、左右方向が長手方向となる部位である。この基部６３の上端部及び下端部には、室内側に向けて突出する上下一対の略楔形状の水平面部６４が連結されている。上側の水平面部６４は、ストッパ本体６２の上面を構成し、かつ下側の水平面部６４は、ストッパ本体６２の下面を構成している。また基部６３の右端部には、室内側に向けて突出する当接部６５が連結されている。この当接部６５は、上端部及び下端部にそれぞれ水平面部６４が連結されており、ストッパ本体６２の右面を構成している。
【００４６】
このような基部６３には、支持孔（図５参照）６３１が形成されており、かかる支持孔６３１を室内側から挿通する取付ビス７２が、取付用貫通孔２１２を貫通して裏板６１の取付孔６１２に螺合することで、ベース６２ａが上框２１に取り付けられている。この場合において、当接部６５は、内障子３０の左縦框３４の見込み面に対向している。また、当接部６５は、操作部材４０よりも右方側に位置している。つまり、ストッパ部材６０ａは、左縦框２３に設けられた操作部材４０よりも内障子３０に近接している。
【００４７】
上記基部６３は、被覆片６６及び突部６７が設けられている。被覆片６６は、基部６３の右端部より右方に突出するよう形成された舌片状部位であり、固定ビス７１を被覆するものである。
【００４８】
突部６７は、基部６３の左端部において室外側に突出するよう設けられている。この突部６７の左右方向の長さは、左縦框２３の溝部２３ａの左右方向の長さよりも僅かに短いものであり、ベース６２ａが上框２１に取り付けられる場合に、該溝部２３ａの内部に進入するものである。この突部６７の左側端部６７１は、溝部２３ａの外方側縁部、すなわち左方側縁部２３３と僅かに離隔しており、ストッパ部材６０ａが左方に向けて押圧された場合に、左側端部６７１が左方側縁部２３３に接することが可能なものである。
【００４９】
キャップ６２ｂは、係止片６８が設けられている。このキャップ６２ｂは、係止片６８がベース６２ａに設けられた図示せぬ係止部に係止することで上下一対の水平面部６４の室内側端縁に沿ったストッパ本体６２の室内側面を構成するものである。
【００５０】
このようにストッパ部材６０ａは、突部６７が左縦框２３の溝部２３ａに進入していることから、左縦框２３の室内側見付け面２３Ｍの一部を覆うよう上框２１に取り付けられている。
【００５１】
ストッパ部材６０ｂは、裏板６１及びストッパ本体６２を備えて構成されている。裏板６１は、金属製材料から構成される平板状部材であり、左右方向が長手方向となるものである。この裏板６１には、１つの固定孔６１１と２つの取付孔６１２とが設けられている。固定孔６１１は、内周面が雌ネジ部となっており、後述するように自身を下框２２に固定するための孔である。２つの取付孔６１２は、一方が固定孔６１１の左方側に設けられており、他方が固定孔６１１の右方側に設けられている。これら取付孔６１２は、内周面が雌ネジ部となっており、後述するようにストッパ本体６２を取り付けるための孔である。
【００５２】
このような裏板６１は、下框２２の中空部に進入し、該下框２２の室内側見付け面２２Ｍの室外側において、上記固定用貫通孔２２１を室内側より貫通する固定ビス７１が固定孔６１１を挿通して該固定孔６１１と螺合することで固定されている。この場合、裏板６１における固定孔６１１の左方側の取付孔６１２は、上記取付用貫通孔２２２に一致している。
【００５３】
ストッパ本体６２は、例えば樹脂製材料から構成されるものであり、ベース６２ａとキャップ６２ｂとを備えている。ベース６２ａは、基部６３を備えている。基部６３は、ストッパ本体６２の室外側面を構成するものであり、左右方向が長手方向となる部位である。この基部６３の上端部及び下端部には、室内側に向けて突出する上下一対の略楔形状の水平面部６４が連結されている。上側の水平面部６４は、ストッパ本体６２の上面を構成し、かつ下側の水平面部６４は、ストッパ本体６２の下面を構成している。また基部６３の右端部には、室内側に向けて突出する当接部６５が連結されている。この当接部６５は、上端部及び下端部にそれぞれ水平面部６４が連結されており、ストッパ本体６２の右面を構成している。
【００５４】
このような基部６３には、支持孔（図示せず）が形成されており、かかる支持孔を室内側から挿通する取付ビス７２が、取付用貫通孔２２２を貫通して裏板６１の取付孔６１２に螺合することで、ベース６２ａが下框２２に取り付けられている。この場合において、当接部６５は、内障子３０の左縦框３４の見込み面に対向している。また、当接部６５は、操作部材４０よりも右方側に位置している。つまり、ストッパ部材６０ｂは、左縦框２３に設けられた操作部材４０よりも内障子３０に近接している。
【００５５】
上記基部６３は、被覆片６６及び突部６７が設けられている。被覆片６６は、基部６３の右端部より右方に突出するよう形成された舌片状部位であり、固定ビス７１を被覆するものである。
【００５６】
突部６７は、基部６３の左端部において室外側に突出するよう設けられている。この突部６７の左右方向の長さは、左縦框２３の溝部２３ａの左右方向の長さよりも僅かに短いものであり、ベース６２ａが下框２２に取り付けられる場合に、該溝部２３ａの内部に進入するものである。この突部６７の左側端部６７１は、溝部２３ａの外方側縁部、すなわち左方側縁部２３３と僅かに離隔しており、ストッパ部材６０ｂが左方に向けて押圧された場合に、左側端部６７１が左方側縁部２３３に接することが可能なものである。
【００５７】
キャップ６２ｂは、係止片６８が設けられている。このキャップ６２ｂは、係止片６８がベース６２ａに設けられた図示せぬ係止部に係止することで上下一対の水平面部６４の室内側端縁に沿ったストッパ本体６２の室内側面を構成するものである。
【００５８】
このようにストッパ部材６０ｂは、突部６７が左縦框２３の溝部２３ａに進入していることから、左縦框２３の室内側見付け面２３Ｍの一部を覆うよう下框２２に取り付けられている。
【００５９】
以上のような構成を有する建具においては、外障子２０の左縦框２３が左縦枠１３に当接し、かつ内障子３０の右縦框３３が右縦枠１４に当接し、更に外障子２０の右縦框２４と内障子３０の左縦框３４とが互いに召し合わされることで、図５に示すように開口枠１０を閉じることができる。
【００６０】
そして、開口枠１０が閉じた建具では、網戸５０の網戸用縦框５３が左縦枠１３に当接した状態において、外障子２０に設けられた操作部材４０の操作部４１に操作力を付与して該外障子２０を右方にスライドさせると、図６に示すように、ストッパ部材６０ａ（６０ｂ）の当接部６５と内障子３０の左縦框３４の見込み面とが当接して外障子２０のスライド範囲を制限する。
【００６１】
一方、開口枠１０が閉じた建具では、網戸５０の網戸用縦框５４が右縦枠１４に当接した状態において、内障子３０に設けられた操作部材４０の操作部４１に操作力を付与して該内障子３０を左方にスライドさせると、図７に示すように、ストッパ部材６０ａ（６０ｂ）の当接部６５と内障子３０の左縦框３４の見込み面とが当接して内障子３０のスライド範囲を制限する。
【００６２】
以上説明したような建具によれば、ストッパ部材６０ａ，６０ｂが、左縦框２３の室内側見付け面２３Ｍの一部を覆うよう上框２１及び下框２２に取り付けられており、外障子２０のスライド若しくは内障子３０のスライドによりストッパ部材６０ａ，６０ｂと左縦框３４の見込み面とが当接可能であるので、上框２１と左縦框２３とを連結する組立ビスの螺合部分や、下框２２と左縦框２３とを連結する組立ビスの螺合部分に当接による荷重が集中的に作用する虞れがない。これにより、外障子２０が破損等してしまうことを防止することができる。
【００６３】
特に、上記建具によれば、ストッパ部材６０ａ，６０ｂが、左縦框２３の室内側見付け面２３Ｍの一部を覆うよう上框２１及び下框２２に取り付けられているので、外障子２０のスライド若しくは内障子３０のスライドによりストッパ部材６０ａ，６０ｂと左縦框３４の見込み面とが当接した場合に、外障子２０の左縦框２３の見込み面と、内障子３０の左縦框３４の見込み面との離間距離の大きさである引残し量を最小限の大きさにすることができる。これにより、網戸５０の露出面積の増大化を図ることができる。
【００６４】
上記建具によれば、ストッパ部材６０ａ，６０ｂの突部６７が左縦框２３の溝部２３ａに進入しており、該溝部２３ａの左方側縁部２３３に僅かに離隔する突部６７の左側端部６７１が、該ストッパ部材６０ａ，６０ｂが左方に向けて押圧された場合に左側端部６７１が左方側縁部２３３に接することが可能であるので、外障子２０のスライド若しくは内障子３０のスライドによりストッパ部材６０ａ，６０ｂと左縦框３４の見込み面とが当接することで、当接による荷重の一部を左縦框２３に伝達させることができる。これにより、当接による荷重が上框２１や下框２２のストッパ部材６０ａ，６０ｂの取付部位だけに集中してしまうことを回避でき、結果的に、外障子２０が破損等してしまうことを防止することができる。
【００６５】
上記建具によれば、左縦框２３に形成された切欠２３１及び切欠２３２が、ストッパ部材６０ａ，６０ｂが上框２１及び下框２２に取り付けられることを許容する逃げ部を構成しているので、外障子２０のスライド若しくは内障子３０のスライドによりストッパ部材６０ａ，６０ｂと左縦框３４の見込み面とが当接した場合に、上框２１と左縦框２３とを連結する組立ビスの螺合部分や、下框２２と左縦框２３とを連結する組立ビスの螺合部分に当接による荷重が集中的に作用することを防止できる。これによっても、外障子２０が破損等してしまうことを防止することができる。
【００６６】
上記建具によれば、外障子２０の左縦框２３の室内側見付け面２３Ｍの中央部分には操作部材４０が設けられており、ストッパ部材６０ａ，６０ｂが操作部材４０よりも内障子３０に近接しているので、外障子２０のスライド若しくは内障子３０のスライドによりストッパ部材６０ａ，６０ｂと左縦框３４の見込み面とが当接した場合に、該操作部材４０と内障子３０とが干渉することを防止でき、これにより該操作部材４０が破損等してしまうことを防止することができる。
【００６７】
以上、本発明の好適な実施の形態について説明したが、本発明はこれに限定されるものではなく、種々の変更を行うことができる。
【００６８】
上述した実施の形態では、外障子２０と内障子３０とがともにスライド可能な引き違い窓を建具の例として説明したが、本発明においては、例えば外障子及び内障子の一方がスライド可能な面材、他方がスライド不能な面材であるいわゆる片引き窓であってもよい。また、本発明の建具は、面材が２枚以上備えたものであってもよく、３枚や４枚、あるいはそれ以上の枚数の面材を備えたものであってもよい。更に、本発明の建具は、面材が上下方向に沿ってスライド可能な上げ下げ窓であってもよい。尚、この場合、上下一対の横材と左右一対の縦材とが入れ替わることはいうまでもない。
【００６９】
上述した実施の形態では、外障子２０の左縦框２３に形成した切欠２３１及び切欠２３２がストッパ部材６０ａ，６０ｂが上框２１及び下框２２に取り付けられることを許容する逃げ部を構成していたが、本発明においては、切欠である必要はなく、孔等であってもよい。
【００７０】
上述した実施の形態では、ストッパ部材６０ａ，６０ｂは、外障子２０の上框２１及び下框２２の室内側見付け面２１Ｍ，２２Ｍに取り付けられていたが、本発明においては、ストッパ部材は、外障子の上框及び下框のいずれか一方に設けられていてもよいし、内障子の上框及び下框の少なくとも一方の室外側の見付け面に取り付けられていてもよい。
【符号の説明】
【００７１】
１０  開口枠
２０  外障子（第１面材）
２１  上框（横材）
２２  下框（横材）
２３  左縦框（第１縦材）
２４  右縦框（第２縦材）
２５  ガラス板
３０  内障子（第２面材）
３１  上框（横材）
３２  下框（横材）
３３  右縦框（第１縦材）
３４  左縦框（第２縦材）
３５  ガラス板
４０  操作部材
４１  操作部
４２  操作カバー
５０  網戸
６０ａ  ストッパ部材
６０ｂ  ストッパ部材
６１  裏板
６１１  固定孔
６１２  取付孔
６２  ストッパ本体
６２ａ  ベース
６２ｂ  キャップ
６３  基部
６４  水平面部
６５  当接部
６６  被覆片
６７  突部
【図１】
0006489921.tif 000002
【図２】
0006489921.tif 000003
【図３】
0006489921.tif 000004
【図４】
0006489921.tif 000005
【図５】
0006489921.tif 000006
【図６】
0006489921.tif 000007
【図７】
0006489921.tif 000008